(57)【要約】【課題】排水管の詰まりを迅速に解消し、使用中のメンテナンスが極めて容易になり、快適な使用が可能になるユニット型移動設置用トイレを提供する。【解決手段】箱型ユニットＰの内部にトイレ用の設備を装着する。水洗式便器１の汚水排水管２を箱型ユニットＰ内で直線状に配置する。汚水排水管２の上流側の壁Ｐ１を貫通する排水管掃除口３を汚水排水管２に接続する。汚水排水管２の下流側の壁Ｐ１を貫通する排水管接続口４を汚水排水管２に接続する。下水又は浄化槽に排水管接続口４を連結するように構成する。排水管掃除口３から排水管接続口４に向けて汚水排水管２を掃除するように構成する。【選択図】  図４
0003217748.tif 000002
【実用新案登録請求の範囲】
【請求項１】
トラック輸送が可能な箱型ユニットの内部にトイレ用の設備を装着したユニット型の移動設置用トイレにおいて、水洗式の便器の汚水排水管を箱型ユニットの一方から他方に至る直線状に配置し、箱型ユニットの汚水排水管の上流側の壁を貫通した排水管掃除口を汚水排水管の上流端部に接続すると共に、汚水排水管の下流側の壁を貫通し下水又は浄化槽に連結するように構成された排水管接続口を汚水排水管の下流端部に接続し、汚水排水管の内部を、箱型ユニット外側の排水管掃除口から排水管接続口方向に向けて掃除するように構成したことを特徴とするユニット型移動設置用トイレ。
【請求項２】
前記箱型ユニットの室内に向けて室内清掃用の水栓を設けると共に、前記箱型ユニットの床面に設けた勾配の低い位置に排水溝部を形成し、該排水溝部から床面上の水が排水されるように構成した請求項１記載のユニット型移動設置用トイレ。
【請求項３】
前記箱型ユニットの内部に、配管スペース用のライニング及び仕切り壁が構成され、該仕切り壁に形成されライニング内の配管類を点検するライニング点検口と、ライニング内の通気管に垂直に接続され、開口部に吸気弁を装着した掃除用管体と、ライニングの上部に開閉自在に設けられたライニング蓋体とを設けた請求項１又は２記載のユニット型移動設置用トイレ。
【請求項４】
前記箱型ユニットの内部に、箱型ユニットの広さに適合するトイレ用のエアコンを設置した請求項１乃至３いずれか記載のユニット型移動設置用トイレ。
【考案の詳細な説明】
【技術分野】
【０００１】
本考案は、トイレ施設をユニット化してトラックによる移動を可能にしたユニット型移動設置用トイレに関するものである。
【背景技術】
【０００２】
トラックでの移動を可能にした移動設置用トイレとして、コンテナにトイレ施設を設置したトイレコンテナ（特許文献１）や、水洗トイレをユニット化したトイレユニット（特許文献２、３）等が提案されている。
【０００３】
特許文献１、２に記載の移動設置用トイレは、いずれも使用後の汚水を貯留する汚水タンクを移動設置用トイレ自体に装備したものである。
【０００４】
また、特許文献３に記載のトイレユニットは、トイレユニットの外壁に水洗トイレ用の排水部を設けたもので、この排水部から下水管へと汚水を導く配管を設けた移動設置用トイレである。
【先行技術文献】
【特許文献】
【０００５】
【特許文献１】実用新案登録第３２０３５７２号公報
【特許文献２】実用新案登録第３２１２２４４号公報
【特許文献２】実用新案登録第３２０９０１７号公報
【考案の概要】
【考案が解決しようとする課題】
【０００６】
特許文献１、２の移動設置用トイレのごとく、汚水を貯留する汚水タンクを移動トイレ自体に装備したものでは、この汚水タンクが満タンになって時点で移動トイレの使用ができなくなる不都合がある。しかも、汚水タンク内に貯まった汚水は、その都度、汚水ホースで排水する必要があるので、汚水タンク内の清掃作業は極めて面倒な作業になっている。
【０００７】
一方、特許文献３のトイレユニットのように、下水管に汚水を導く水洗トイレ用の配管を設けた移動設置用トイレでは、汚水が溜まることがないので連続使用が可能になる。ところが、水洗トイレを連続使用するには、トイレユニット内に設置された排水管の内部を常に洗浄する必要がある。しかしながら、特許文献３のトイレユニットには、下水管に導く配管を設けていても、トイレユニット内の排水管の設置位置や、排水管の具体的なメンテナンスについては全く考慮されていない。
【０００８】
すなわち、一般の水洗トイレでも、異物の混入等で排水管が詰まることが多い。一方、移動設置用トイレでは、例えばイベント会場等で使用される場合のように、不特定多数の者が短期間で集中的に使用することもあるので、一般のトイレよりも排水管が詰まり易い状況になり易い。更に、移動設置用トイレは屋外に仮設するので、小動物などが排水管に侵入する虞もある。
【０００９】
このように、汚水を下水管に導く配管を設けた移動設置用トイレでは、トイレ内部の排水管が詰まった時点で使用ができなくなる。そのため、イベント会場など短期間限定使用の場合は、詰まった排水管をいかに短時間で掃除できるかが極めて重要な課題になっている。しかも、不特定多数の者が短期間で集中的に使用する場合は、トイレ内部が汚れ易いので、トイレ内部の清掃等も短時間で行う必要が生じる。
【００１０】
そこで本考案は、上述の課題を解消すべく案出されたもので、移動設置用トイレにおいて排水管の詰まりを迅速に解消し、使用中のメンテナンスが極めて容易になり、短期間の集中使用でも快適な使用が可能になるユニット型移動設置用トイレの提供を目的とするものである。
【課題を解決するための手段】
【００１１】
上述の目的を達成すべく本考案における第１の手段は、トラック輸送が可能な箱型ユニットＰの内部にトイレ用の設備を装着したユニット型の移動設置用トイレにおいて、水洗式の便器１の汚水排水管２を箱型ユニットＰの一方から他方に至る直線状に配置し、箱型ユニットＰの汚水排水管２の上流側の壁Ｐ１を貫通した排水管掃除口３を汚水排水管２の上流端部に接続すると共に、汚水排水管２の下流側の壁Ｐ１を貫通し下水又は浄化槽等に連結するように構成された排水管接続口４を汚水排水管２の下流端部に接続し、汚水排水管２の内部を、箱型ユニットＰ外側の排水管掃除口３から排水管接続口４方向に向けて掃除するように構成したことにある。
【００１２】
第２の手段において、前記箱型ユニットＰの室内に向けて室内清掃用の水栓５を設けると共に、前記箱型ユニットＰの床面Ｐ２に設けた勾配の低い位置に排水溝部６を形成し、該排水溝部６から床面Ｐ２上の水が排水されるように構成したものである。
【００１３】
第３の手段は、前記箱型ユニットＰの内部に、配管スペース用のライニング７及び仕切り壁８が構成され、該仕切り壁８に形成されライニング７内の配管類を点検するライニング点検口９と、ライニング７内の通気管１３に垂直に接続され、開口部に吸気弁１０Ａを装着した掃除用管体１０と、ライニング７の上部に開閉自在に設けられたライニング蓋体７Ａとを設けている。
【００１４】
第４の手段は、前記箱型ユニットＰの内部に、箱型ユニットＰの広さに適合するトイレ用のエアコン１１を設置したものである。
【考案の効果】
【００１５】
請求項１のごとく、汚水排水管２の内部を、箱型ユニットＰの外側に配した排水管掃除口３から排水管接続口４方向に向けて掃除するように構成したことにより、汚水排水管２に異物が詰まって使用ができなくなった場合でも、極めて迅速に除去してトイレを復活させることができる。この結果、たとえ短期間の限定使用時にトラブルが生じても、迅速な対応によって最終日までの使用を可能にする。
【００１６】
請求項２のように、前記箱型ユニットＰの室内に向けて室内清掃用の水栓５を設けると共に、前記箱型ユニットＰの床面Ｐ２に設けた勾配の低い位置に排水溝部６を形成し、該排水溝部６から床面Ｐ２上の水が排水するように構成したことで、たとえ大勢の利用者が頻繁に使用する状況でも、室内掃除などのメンテナンスが極めて容易になり、常に清潔な使用が可能になる。
【００１７】
請求項３のごとく、仕切り壁８に形成されライニング７内の配管類を点検するライニング点検口９と、ライニング７内の通気管１３に垂直に接続され、開口部に吸気弁１０Ａを装着した掃除用管体１０と、ライニング７に開閉自在に設けられたライニング蓋体７Ａとを設けたことで、ライニング７内の各種配管類の点検やメンテナンスを容易に行うことができる。したがって、ライニング７内で不具合が発生しても短時間で処理することが可能になる。
【００１８】
請求項４のように、前記箱型ユニットＰの内部に、箱型ユニットＰの広さに適合するトイレ用のエアコン１１を設置したことで、例えば真夏のビーチサイドや、極寒のスキー場など、寒暖差の大きい環境に設置した場合でも快適な使用が可能になり、ユニット型移動設置用トイレの利用範囲を広げることができる。
【００１９】
このように、本考案によると、移動設置用トイレにおいて排水管の詰まりを迅速に解消し、使用時のメンテナンスが極めて容易になり、短期間の集中使用でも快適な使用が可能になるなどといった当初の目的を達成した。
【図面の簡単な説明】
【００２０】
【図１】本考案の一実施例を示す正面図である。
【図２】本考案の箱型ユニット内を示す平断面図である。
【図３】本考案の箱型ユニット内を示す正断面図である。
【図４】本考案の配管を示す正断面図である。
【図５】図２に示す矢視Ｖ-Ｖ線断面図である。
【図６】本考案の箱型ユニットを示す側面図である。
【図７】本考案の排水管掃除口を示す斜視図である。
【図８】本考案の排水管接続口を示す斜視図である。
【図９】本考案の給水管接続口に給水ホースを接続した斜視図である。
【図１０】本考案の排水溝部を示す斜視図である。
【図１１】本考案のライニング点検口を示す斜視図である。
【考案を実施するための形態】
【００２１】
以下、本考案の実施の形態を説明する。本考案は、箱型ユニットＰの内部に、トイレ用の各種設備を装着した移動設置用トイレである。この箱型ユニットＰとは、クレーンを使用してトラック荷台に積載可能な躯体を箱型ユニットＰとして利用する（図１参照）。例えば、工場生産型のユニットハウスと称するプレハブタイプの箱型ユニットＰや、貨物を輸送するコンテナタイプの箱型ユニットＰなど、トラック荷台に積載可能な各種の躯体から箱型ユニットＰを選択することができる。
【００２２】
この箱型ユニットＰ内には、水洗トイレ用の配管類を装着している（図２〜図４参照）。特に、本考案は、設置した汚水排水管２の内部を、箱型ユニットＰ外側の排水管掃除口３から、排水管接続口４方向に向けて掃除できるように構成したものである（図４参照）。
【００２３】
すなわち、箱型ユニットＰの内部に水洗トイレ用の各種便器１を配置する場合、便器１の汚水排水管２を箱型ユニットＰの一方の壁Ｐ１から他方の壁Ｐ１に至る直線状に配置する（図４参照）。このとき、洗面化粧台１２等を併設する場合も直線状の汚水排水管２に排水するように構成する。また、水洗用の便器１の種類や数等は任意に変更することが可能である。（権利範囲を広げるためのオプションです）
【００２４】
そして、汚水排水管２の上流側に、箱型ユニットＰの壁Ｐ１を貫通する排水管掃除口３を設けている（図６参照）。この排水管掃除口３は、汚水排水管２より僅かに上部の位置で汚水排水管２と平行な状態で汚水排水管２に接続されている（図４参照）。そして、汚水排水管２が詰まった場合は、箱型ユニットＰの外側から、この排水管掃除口３を通して汚水排水管２内部を清掃する（図７参照）。尚、図６中、符号１６は室外機、符号２７は窓を示している。
【００２５】
この排水管掃除口３の上部には、通気管接続口１５が設けられている（図７参照）。この通気管接続口１５は、通気管１３に続いており、通気管１３には、吸気弁１０Ａ付の掃除用管体１０が垂直に接続されている（図４参照）。したがって、通気管接続口１５から、通気管１３や掃除用管体１０の接続部分を点検し、清掃することが可能になる。
【００２６】
一方、汚水排水管２の下流側に、箱型ユニットＰの壁Ｐ１を貫通する排水管接続口４を設けて汚水排水管２に接続している（図４参照）。この排水管接続口４は、下水又は浄化槽に接続する各種のパイプ等に連結するように構成されたもので、箱型ユニットＰの外側に突出している（図８参照）。図示例では、排水管接続口４の接続端部にフレキシブルパイプを使用し、各種パイプにバンド等で連結できるように設けている。
【００２７】
この排水管接続口４の上部には、各種水洗設備に給水するための給水管接続口１４を設けている（図８参照）。この給水管接続口１４は、各種水洗設備に連結された給水管１７に水道水を供給する給水口になっている（図４参照）。そのため、給水管接続口１４に給水管２０を接続している（図９参照）。給水管接続口１４から供給された水道水は、給水バルブ２２を介して給水管１７や給水枝管１８を通り、各種水栓便器１の他、洗面化粧台１２や後述する水栓５にも給水するように設けている（図４参照）。
【００２８】
箱型ユニットＰの内部には、更に他の設備も装着している。室内に設けた水栓５は、室内清掃用として使用する（図３参照）。図示例では、洗面化粧台１２の脇に設けた水栓５に加え、水栓５を使用することで、箱型ユニットＰ内部の清掃をする場合に有効になる。尚、図３中、符号２３はコンセント、２４は化粧鏡である。
【００２９】
箱型ユニットＰの床面Ｐ２には勾配を設けている。そして、この勾配の低い位置に排水溝部６を形成し、水栓５からの洗浄水が排水溝部６に流れるように形成している（図２参照）。この結果、室内で水栓５を使用しながらの洗浄が極めて合理的になる。図示例では、箱型ユニットＰの壁Ｐ１に沿って排水溝部６を形成し、該排水溝部６を蓋体６Ａにて施蓋している。（図１０参照）。但し、この蓋体６Ａは使用しなくても良い。（権利範囲を広げるためのオプションです）また、排水溝部６を床面Ｐ２の中央に形成するなど、排水溝部６の位置や構造等は任意に変更することが可能である。（権利範囲を広げるためのオプションです）
【００３０】
更に、箱型ユニットＰの内部には、配管スペース用のライニング７及び仕切り壁８が構成されている（図２、図３参照）。そして、この仕切り壁８に、ライニング７内の配管類を点検するライニング点検口９を開閉自在に設けている（図３参照）。このライニング点検口９は、特に、各配管の接続部分が見える位置に設けることで、給水管１７や給水枝管１８、汚水排水管２や排水枝管１９などの各種配管のメンテナンスも合理的に行えるようにしている（図１１参照）。尚、図１１中、符号２９は、給水枝管１８を被覆する保温材である。
【００３１】
一方、ライニング７の上面にライニング蓋体７Ａを開閉自在に設けている（図５参照）。また、このライニング７内には、通気管１３に垂直に接続された吸気弁１０Ａ付の掃除用管体１０も配置している（図４参照）。したがって、ライニング蓋体７Ａを開けると、ライニング７内部の点検が容易になると共に、掃除用管体１０を介して通気管１３の清掃や点検なども容易に行えるものである。
【００３２】
箱型ユニットＰの内部にトイレ用のエアコン１１を設置している（図２参照）。このエアコン１１は、箱型ユニットＰの広さに適合するもので、トイレの設置場所や設置時期などに影響されずに、常に快適な使用を可能にする。また、給水管１７に凍結防止用の給水主管用ヒーター２５を設けると、寒冷時の凍結を防止することも可能になる（図４参照）。
【００３３】
尚、本考案移動設置用トイレの構成は図示例に限定されるものではなく、箱型ユニットＰ内の各種設備の種類の変更やレイアウトの変更、あるいは箱型ユニットＰのサイズ変更など、本考案の要旨を変更しない範囲での設計変更は自由に行える。
【符号の説明】
【００３４】
Ｐ  箱型ユニット
Ｐ１  壁
Ｐ２  床面
１  便器
２  汚水排水管
３  排水管掃除口
４  排水管接続口
５  水栓
６  排水溝部
６Ａ  蓋体
７  ライニング
７Ａ  ライニング蓋体
８  仕切り壁
９  ライニング点検口
９Ａ  蓋体
１０  掃除用管体
１０Ａ  吸気弁
１１  エアコン
１２  洗面化粧台
１３  通気管
１４  給水管接続口
１５  通気管接続口
１６  室外機
１７  給水管
１８  給水枝管
１９  排水枝管
２０  給水管
２３  コンセント
２４  化粧鏡
２５  給水主管用ヒーター
２７  窓
２８  換気扇
２９  保温材
【図１】
0003217748.tif 000003
【図２】
0003217748.tif 000004
【図３】
0003217748.tif 000005
【図４】
0003217748.tif 000006
【図５】
0003217748.tif 000007
【図６】
0003217748.tif 000008
【図７】
0003217748.tif 000009
【図８】
0003217748.tif 000010
【図９】
0003217748.tif 000011
【図１０】
0003217748.tif 000012
【図１１】
0003217748.tif 000013